(57)【要約】【課題】電源部の寿命に影響を与えにくく、且つ、放熱効果の向上を図ることのできる照明装置を提供する。【解決手段】シャーシ１０と、ＬＥＤが実装されたＬＥＤ基板が取り付けられ、且つ、シャーシ１０に取り付けられたＬＥＤ基板取付部６０（１）〜６０（４）と、ＬＥＤ基板取付部６０（１）〜６０（４）に取り付けられ、且つ、ＬＥＤ基板で発生してＬＥＤ基板取付部６０（１）〜６０（４）を通じて伝導されてきた熱を、ＬＥＤ基板取付部６０（１）〜６０（４）に向かう方向とは逆の方向である、大気に向かう方向に伝導することにより、熱を大気中に放熱する放熱フィン３０と、シャーシ１０の放熱フィン３０の真上を除く位置に取り付けられ、且つ、ＬＥＤに電力を供給する電源部１１と、を備える。【選択図】図２
2015023004.tif 000002
【特許請求の範囲】
【請求項１】
シャーシと、
ＬＥＤが実装されたＬＥＤ基板が取り付けられ、且つ、前記シャーシに取り付けられたＬＥＤ基板取付部と、
前記ＬＥＤ基板取付部に取り付けられ、且つ、前記ＬＥＤ基板で発生して前記ＬＥＤ基板取付部を通じて伝導されてきた熱を、前記ＬＥＤ基板取付部に向かう方向とは逆の方向である、大気に向かう方向に伝導することにより、前記熱を大気中に放熱する放熱フィンと、
前記シャーシの前記放熱フィンの真上を除く位置に取り付けられ、且つ、前記ＬＥＤに電力を供給する電源部と、
を備える照明装置。
【請求項２】
前記電源部は直方体形状であり、
前記電源部の長尺方向は、前記放熱フィンによる前記熱の放熱方向と、ねじれの関係を満たす
請求項１に記載の照明装置。
【請求項３】
さらに、
前記ＬＥＤの発光方向が地面に向かう方向となるように、前記シャーシを壁面に取り付けるための壁面取付部を備え、
前記シャーシは、第１フレームと、当該第１フレームと平行な第２フレームとを有し、
前記第１フレームは、前記シャーシが前記壁面に取り付けられた際には前記第２フレームの上方に位置し、
前記ＬＥＤ基板及び前記放熱フィンは、前記第１フレームと前記第２フレームとの間に設けられており、
前記第１フレームには開口が形成されており、
前記電源部は、前記シャーシが前記壁面に取り付けられた際に、前記第１フレームの前記開口に対し、前記発光方向とは逆方向となる位置に取り付けられている
請求項１又は２に記載の照明装置。
【請求項４】
さらに、
前記ＬＥＤの発光方向が地面に向かう方向となるように、前記シャーシを壁面に取り付けるための壁面取付部を備え、
前記シャーシは、第１フレームと、当該第１フレームと平行に設けられ、且つ前記シャーシが前記壁面に取り付けられた際に前記第１フレームの下方に位置する第２フレームと、前記第１フレーム及び前記第２フレームと交差する方向の、第３フレーム及び第４フレームと、を備え、
前記ＬＥＤ基板及び前記放熱フィンは、前記第１フレームとの前記第２フレームとの間あって、前記第３フレームと前記第４フレームとの間に設けられており、
前記電源部は、前記第３フレーム及び前記第４フレームのいずれか一方に取り付けられている
請求項１又は２に記載の照明装置。
【請求項５】
前記放熱フィンは、その長尺方向が前記第１フレーム及び第２フレームと交差する方向に設けられている
請求項３又は４に記載の照明装置。
【請求項６】
前記放熱フィンの背面には、複数の孔が形成された放熱板が取り付けられている
請求項１〜５のいずれか１項に記載の照明装置。
【請求項７】
前記第１フレーム、前記第２フレーム、前記第３フレーム、及び前記第４フレームのいずれかは、アルミニウム材で形成されている
請求項４〜６のいずれか１項に記載の照明装置。
【発明の詳細な説明】
【技術分野】
【０００１】
本発明は、主にトンネル内を明るくする照明装置に関する。
【背景技術】
【０００２】
従来、トンネル内を明るくする照明装置が使用されている。最近では、発光部材としてＬＥＤ（Light Emitting Diode）を用いた照明装置も存在する。
【０００３】
この種の照明装置は、ＬＥＤ基板に配置されたＬＥＤの発光方向が路面に向かう方向となるように、トンネルの壁面に取り付けられる。当該照明装置の壁側には、ＬＥＤの熱を放熱する放熱フィンと、ＬＥＤの駆動電力を供給する電源部とが設けられている。
【０００４】
この種の照明装置では、ＬＥＤ基板の背面に放熱フィンが配置されている。そして、放熱フィンの放熱方向に電源部が配置されている。特許文献１には、ＬＥＤ基板に相当する太陽電池パネルの背面に、電源部に相当するバッテリが配置されている。
【先行技術文献】
【特許文献】
【０００５】
【特許文献１】特開２００３−１１５６０２号公報
【発明の概要】
【発明が解決しようとする課題】
【０００６】
しかしながら、電源部が放熱フィンの放熱方向に設けられている場合には、電源部が放熱フィンによって放熱される熱の影響を受けやすい。熱は、電源部の寿命に影響を与えうる。
【０００７】
また、放熱フィンの放熱方向に電源部が位置している場合、放熱フィンによって放熱された熱が、電源部によって遮られるため、放熱フィンによる放熱効果にも影響を与えうる。
【０００８】
本発明は、上述の課題を解決するためになされたものであり、電源部の寿命に影響を与えにくく、且つ、放熱効果の向上を図ることのできる照明装置を提供することを目的とする。
【課題を解決するための手段】
【０００９】
上記目的を達成するために、本発明の一態様に係る照明装置は、シャーシと、ＬＥＤが実装されたＬＥＤ基板が取り付けられ、且つ、前記シャーシに取り付けられたＬＥＤ基板取付部と、前記ＬＥＤ基板取付部に取り付けられ、且つ、前記ＬＥＤ基板で発生して前記ＬＥＤ基板取付部を通じて伝導されてきた熱を、前記ＬＥＤ基板取付部に向かう方向とは逆の方向である、大気に向かう方向に伝導することにより、前記熱を大気中に放熱する放熱フィンと、前記シャーシの前記放熱フィンの真上を除く位置に取り付けられ、且つ、前記ＬＥＤに電力を供給する電源部と、を備える。
【００１０】
この構成によると、電源部は、シャーシにおいて、放熱フィンの真上を除く位置にシャーシに取り付けられている。そのため、放熱フィンからの熱が電源部に当たりにくいので、電源部の寿命に影響を与えにくく、且つ、放熱効果の向上を図ることのできる照明装置を提供することができる。
【００１１】
また、放熱フィンは、ＬＥＤ基板で発生してＬＥＤ基板取付部を通じて伝導させてきた熱を、ＬＥＤ基板取付部とは逆の方向（つまり、大気に向かう方向）に伝導することにより、放熱しているため、ＬＥＤ基板で発生してＬＥＤ基板取付部に伝導された熱は、何ら構成要素によって遮られずに、そのまま大気中に放出される。その結果、より放熱効果を向上させることができる。
【００１２】
例えば、前記電源部は直方体形状であり、前記電源部の長尺方向は、前記放熱フィンによる前記熱の放熱方向と、ねじれの関係を満たしてもよい。
【００１３】
この構成によると、電源部の長尺方向は、放熱フィンによる熱の放熱方向と、ねじれの関係を満たす方向に取り付けられている。そのため、電源部の配置方向が、シャーシにおいて前後方向（熱の放熱方向）とはならないため、電源装置を前記前後方向に大きくせずに、電源部を、放熱フィンによる熱の放熱方向とは交わらない方向に配置することができる。
【００１４】
さらに、前記ＬＥＤの発光方向が地面に向かう方向となるように、前記シャーシを壁面に取り付けるための壁面取付部を備え、前記シャーシは、第１フレームと、当該第１フレームと平行な第２フレームとを有し、前記第１フレームは、前記シャーシが前記壁面に取り付けられた際には前記第２フレームの上方に位置し、前記ＬＥＤ基板及び前記放熱フィンは、前記第１フレームと前記第２フレームとの間に設けられており、前記第１フレームには開口が形成されており、前記電源部は、前記シャーシが前記壁面に取り付けられた際に、前記第１フレームの前記開口に対し、前記発光方向とは逆方向となる位置に取り付けられていてもよい。
【００１５】
この構成によると、シャーシが壁面に取り付けられたときには、第１フレームが第２フレームの上方に位置する。第１フレームと第２フレームとの間にはＬＥＤ基板及び放熱フィンが設けられている。
【００１６】
また、電源部は、シャーシが壁面に取り付けられた際に第１フレームの開口に対し、ＬＥＤの発光方向とは逆方向となる位置に取り付けられている。一般的に、熱は上方に向けて上昇する性質があるため、この構成によると、ＬＥＤ基板で発生してＬＥＤ基板取付部に伝導された熱は、電源部を含めて何ら構成要素に邪魔されずに、そのまま開口を通じて大気中に放出される。その結果、より放熱効果を向上させることができる。
【００１７】
さらに、前記ＬＥＤの発光方向が地面に向かう方向となるように、前記シャーシを壁面に取り付けるための壁面取付部を備え、前記シャーシは、第１フレームと、当該第１フレームと平行に設けられ、且つ前記シャーシが前記壁面に取り付けられた際に前記第１フレームの下方に位置する第２フレームと、前記第１フレーム及び前記第２フレームと交差する方向の、第３フレーム及び第４フレームと、を備え、前記ＬＥＤ基板及び前記放熱フィンは、前記第１フレームとの前記第２フレームとの間あって、前記第３フレームと前記第４フレームとの間に設けられており、前記電源部は、前記第３フレーム及び前記第４フレームのいずれか一方に取り付けられていてもよい。
【００１８】
この構成によると、ＬＥＤ基板及び放熱フィンは、第１フレームと第２フレームとの間に設けられている。ＬＥＤ基板及び放熱フィンは、さらに、第１フレーム及び第２フレームと交差する方向の第３フレームと、第３フレームと同様に第１フレーム及び第２フレームと交差する方向の第４フレームとの間に設けられている。
【００１９】
また、電源部は、第３フレーム及び第４フレームのいずれか一方に、放熱フィンによる熱の放熱方向とは、ねじれの関係を満たす方向に取り付けられている。
【００２０】
これにより、電源部が、放熱フィンによる放熱を妨げることがないので、電源部の寿命に影響を与えにくく、且つ、放熱効果の向上を図ることのできる照明装置を提供することができる。
【００２１】
また、放熱フィンは、ＬＥＤ基板で発生してＬＥＤ基板取付部を通じて伝導させてきた熱を、ＬＥＤ基板取付部とは逆の方向（つまり、大気に向かう方向）に伝導することにより、放熱しているため、ＬＥＤ基板で発生してＬＥＤ基板取付部に伝導された熱は、何ら構成要素によって遮られずに、そのまま大気中に放出される。その結果、より放熱効果を向上させることができる。
【００２２】
また、前記放熱フィンは、その長尺方向が前記第１フレーム及び第２フレームと交差する方向に設けられていてもよい。
【００２３】
この構成によると、放熱フィンの長尺方向が、第１フレーム及び第２フレームと交差する方向に設けられている。
【００２４】
シャーシが壁面に取り付けられた際には、第１フレームは第２フレームの上方に位置する。一般的に熱は上方に向かう性質があるため、放熱フィンによって放熱された熱が、第１及び第２フレームと交差する方向に上昇する。そのため、より放熱効果を向上させることができる。
【００２５】
また、前記放熱フィンの背面には、複数の孔が形成された放熱板が取り付けられていてもよい。
【００２６】
この構成によると、放熱フィンの背面には、複数の孔が形成された放熱板が取り付けられているので、放熱フィンに伝わった熱の多くは複数の孔を通じて、ＬＥＤ基板取付部に向かう方向とは逆の、大気に向かう方向に放出される。これにより、より放熱効果を向上させることができる。また、放熱フィンに塵が入り込むことを低減させることができる。
【００２７】
また、前記第１フレーム、前記第２フレーム、前記第３フレーム、及び前記第４フレームのいずれかは、アルミニウム材で形成されていてもよい。
【００２８】
この構成によると、第１フレーム、第２フレーム、第３フレーム、及び第４フレームのいずれかは、熱伝導率の高いアルミニウム材で形成されている。そのため、これらのうちいずれか１つに放熱フィンやＬＥＤ基板取付部が接触している際には、放熱フィンやＬＥＤ基板取付部の熱がフレームに伝わり、フレームから大気中に放出される。その結果、放熱効果をより向上させることができる。
【発明の効果】
【００２９】
本発明によると、電源部の寿命に影響を与えにくく、且つ、放熱効果の向上を図ることのできる照明装置を提供することができる。
【図面の簡単な説明】
【００３０】
【図１】本発明の実施の形態１に係る照明装置の表面の一例を表す平面図である。
【図２】図１の照明装置の裏面の一例を表す斜視図である。
【図３】図１の照明装置の右側面の一例を表す側面図である。
【図４】放熱フィンの形状の一例を示した斜視図である。
【図５】放熱フィンの複数の金属板の配置方向の一例を概念的に表した斜視図である。
【図６】図３の照明装置の断面図である。
【図７】本発明の実施の形態２に係る照明装置の裏面の一例を示した斜視図である。
【発明を実施するための形態】
【００３１】
以下、本発明の実施の形態について、図面を用いて詳細に説明する。なお、以下で説明する実施の形態は、いずれも包括的または具体的な例を示すものである。以下の実施の形態で示される構成要素、構成要素の配置位置及び接続形態の順序などは、一例であり、本発明を限定する主旨ではない。また、以下の実施の形態における構成要素のうち、最上位概念を示す独立請求項に記載されていない構成要素については、任意の構成要素として説明される。
【００３２】
以下、本発明の実施の形態を説明するにあたり、照明装置の左方向を矢印Ｘ１で表し、右方向を矢印Ｘ２で表す。また、照明装置の前方向を矢印Ｙ１で現し、後ろ方向を矢印Ｙ２で現す。さらに、照明装置の上方向を矢印Ｚ１で表し、下方向を矢印Ｚ２で表す。
【００３３】
（実施の形態１）
図１は、本発明の実施の形態１に係る照明装置の表面の一例を表す平面図である。図２は、図１の照明装置の裏面の一例を表す斜視図である。図３は、図１の照明装置の右側面の一例を表す側面図である。図４は、放熱フィンの形状の一例を示した斜視図である。なお、図３には、照明装置１が実際にトンネルの壁面に取り付けられた態様の一例が表されている。また、図４には、放熱板が外された状態の放熱フィンが表されている。
【００３４】
照明装置１は、図３に示すように、路面（地面）７０を斜め上方向から照射するために、その前面が斜め下方向を向くように、トンネルの壁面８０に取り付けられる。
【００３５】
照明装置１は、図１に示すように、シャーシ１０を備える。シャーシ１０の前面側には、図１に示すように、ＬＥＤ２１を覆うカバー２０が設けられている。このカバー２０は、シャーシ１０の水平方向（矢印Ｘ１−矢印Ｘ２方向）に２つ設けられている。そして、水平方向に設けられた２つのカバー２０が、シャーシ１０の上下方向（矢印Ｚ１−Ｚ２方向）に、２列に渡って設けられている。すなわち、シャーシ１０の前面側には、計４つのカバー２０が設けられている。
【００３６】
各カバー２０の背面には、ＬＥＤ基板２２に縦横に渡って配列された複数のＬＥＤ２１が位置する。各ＬＥＤ２１は、電源ユニット（電源部）１１からの電力供給を受けて光束を照射する。
【００３７】
各カバー２０には、各ＬＥＤ２１に対応して、ＬＥＤ２１の前面に位置するレンズ部２０Ａが設けられている。これにより、ＬＥＤ２１から照射された光束がレンズ部２０Ａによって集束され、路面７０に到達する。
【００３８】
シャーシ１０は、図２に示すように、電源ユニット１１を取り付けるための取付フレーム１２を備える。取付フレーム１２には、電源ユニット１１を左右方向に移動させることができるように、３本のガイド溝１２Ａが設けられている。電源ユニット１１は、ガイド溝１２Ａに沿って左右方向に動くので、ユーザは、適宜、電源ユニット１１の取付フレーム１２における位置を調整することができる。
【００３９】
シャーシ１０は、先述の取付フレーム１２のほか、右側の屈曲形状の右上フレーム１３（１）、左側の屈曲形状の左上フレーム１３（２）を備える。取付フレーム１２と右上フレーム１３（１）と左上フレーム１３（２）とで、本発明における上フレーム（第１フレーム）１８が構成されている。上フレーム１８には、照明装置１で生じた熱を大気中に放出するための開口１８Ａが形成されている。なお、開口１８Ａの前後方向（Ｙ１−Ｙ２方向）の長さは、後述する中間フレーム１９の前後方向の長さよりも短い。
【００４０】
シャーシ１０は、上フレーム１８のほか、上フレーム１８と直交する右フレーム（第３フレーム）１４（１）と、右フレーム１４（１）と同様に上フレーム１８と直交する左フレーム（第４フレーム）１４（２）と、上フレーム１８と平行な下フレーム（第２フレーム）１５と、上フレーム１８と下フレーム１５との間に介在し、上フレーム１８及び下フレーム１５と平行な中間フレーム１９と、を備える。
【００４１】
上フレーム１８は、照明装置１が壁面８０に取り付けられた際には、下フレーム１５及び中間フレーム１９よりも上方に位置する。
【００４２】
上フレーム１８、右フレーム１４（１）、左フレーム１４（２）、下フレーム１５、及び、中間フレーム１９は、は、アルミニウム材で形成されている。
【００４３】
シャーシ１０の底部（矢印Ｙ１側）には、その前面（矢印Ｙ１側の面）にＬＥＤ基板２２が取り付けられたＬＥＤ基板取付部６０（１）〜６０（４）が、ＬＥＤ基板２２の配置面が照明装置１の前面側に位置するように、取り付けられている。
【００４４】
図２に示すように、ＬＥＤ基板取付部６０（１）は、中間フレーム１９と左フレーム１４（２）とに接触している。ＬＥＤ基板取付部６０（２）は、下フレーム１５と左フレーム１４（２）とに接触している。ＬＥＤ基板取付部６０（３）は、中間フレーム１９と右フレーム１４（１）とに接触している。ＬＥＤ基板取付部６０（４）は、下フレーム１５と右フレーム１４（１）とに接触している。このように、各ＬＥＤ基板取付部６０（１）〜６０（４）は、上フレーム１９と下フレーム１５との間であって、右フレーム１４（１）と左フレーム１４（２）との間に、取り付けられている。
【００４５】
各ＬＥＤ基板取付部６０（１）〜６０（４）は、先述したように、アルミニウム材からなるフレームに接触しているため、ＬＥＤ基板２２で生じて各ＬＥＤ基板取付部に伝わった熱は、各フレームを介して放熱される。そのため、放熱効果が向上する。
【００４６】
ＬＥＤ基板取付部６０（１）〜６０（４）の背面には、放熱フィン３０を介して放熱板４０が取り付けられている。放熱板４０には、その放熱効率を向上させるため、図２に示すように、複数の孔が形成されている。
【００４７】
また、照明装置１の背面には、照明装置１を壁面８０に取り付けるための壁面取付部１６が設けられている。この壁面取付部１６には、壁面取付部１６を壁面８０に取り付けるための取付孔１６Ａが形成されている。
【００４８】
照明装置１の前面の、路面７０に対する角度は、角度調整部１７によって行われる。角度調整部１７の形状は、半円形状とされており、角度調整部１７の外延に沿ったガイド溝１７Ａが形成されている。壁面取付部１６は、ガイド溝１７Ａに沿って移動可能とされている。ユーザは、壁面取付部１６をガイド溝１７Ａに沿って移動させることにより、照明装置１の前面の、路面７０に対する角度を調整する。
【００４９】
放熱フィン３０は、図４に示すように、複数の金属板３０Ａと、２つの取付金属板３０Ｂ（１）及び３０Ｂ（２）とで構成されている。複数の金属板３０Ａの各々と、取付金属板３０Ｂ（１）、３０Ｂ（２）とは、ＬＥＤ基板取付部６０（３）の背面に、上下方向に長く左右方向に短くなるように設けられている。
【００５０】
つまり、上フレーム１８及び下フレーム１５と直交する方向に、複数の金属板３０Ａと、２つの取付金属板３０Ｂ（１）及び３０Ｂ（２）とが設けられている。
【００５１】
なお、ＬＥＤ基板取付部６０（１）、６０（２）、及び６０（４）における放熱フィン３０の構成については、ＬＥＤ基板取付部６０（３）と同様であるため、説明及び図示を省略する。
【００５２】
右側の取付金属板３０Ｂ（１）は、複数の金属板３０Ａの右側に設けられている。一方で、左側の取付金属板３０Ｂ（２）は、複数の金属板３０Ａの左側に設けられている。
【００５３】
各金属板３０Ａ、及び、取付金属板３０Ｂ（１）、３０Ｂ（２）は、図６に示すように、照明装置１の右側或いは左側方向から見て、長方形状である。
【００５４】
各金属板３０Ａ、及び、取付金属板３０Ｂ（１）、３０Ｂ（２）は、ＬＥＤ基板２２からＬＥＤ基板取付部６０（３）に伝わった熱を、各金属板３０Ａ及び取付金属板３０Ｂの後方に向けて放出する。これにより、ＬＥＤ基板取付部６０（３）に伝わった熱を、ＬＥＤ基板取付部６０（３）とは逆の方向、つまり、大気に向かう方向に放出する。この熱の流れを、図３においては、矢印Ｃで表している。
【００５５】
取付金属板３０Ｂの後方側の端部は、図４に示すように、フック状に折り曲げられている。このフック状の部分には、放熱板４０が嵌まり込む。
【００５６】
また、各金属板３０Ａ及び各取付金属板３０Ｂ（１）、３０Ｂ（２）は、上下方向に長く左右方向に短いため、照明装置１が壁面８０に取り付けられたとき、右側の取付金属板３０Ｂ（１）とこの取付金属板３０Ｂ（１）と隣接する金属板３０Ａとの間、左側の取付金属板３０Ｂ（２）とこの取付金属板３０Ｂ（２）と隣接する金属板３０Ａとの間、及び、２つの互いに隣接する金属板３０の間には、照明装置１の下方から上方に向かう熱放出路が形成される。
【００５７】
一般的に、熱は上方へ向けて上昇する性質がある。各金属板３０Ａ及び各取付金属板３０Ｂの上方には、図４に示すように開口１８Ａが形成されているので、ＬＥＤ基板２２で生じＬＥＤ基板取付部６０（３）に伝わった熱は、前記熱放出路を上昇して、最終的には、開口１８Ａから大気中に放出される。この熱の流れを、図３においては、矢印Ｂで表している。
【００５８】
このように、熱が下方から上方へ伝わる性質を利用して、ＬＥＤ基板取付部６０（３）に伝わった熱を大気中に放出しているため、ＬＥＤ基板２２で生じた熱の放熱効果がより向上する。
【００５９】
そして、電源ユニット１１は、放熱フィン３０の後方向を除く位置に、取り付けられている。具体的には、図２のように、照明装置１をＬＥＤ２１の照射方向側が下方となるように置いたときには、電源ユニット１１は、取付フレーム１２において、放熱フィン３０の真上を除く位置に取り付けられている。
【００６０】
電源ユニット１１は、直方体形状であり、図２に示すように、その長尺方向が、矢印Ｂで表される放熱方向、及び、矢印Ｃで表される放熱方向との間で、ねじれの関係を満たす方向に取り付けられている。
【００６１】
また、電源ユニット１１は、照明装置１を壁面８０に取り付けた際に、図３に示すように、上フレーム１８において、開口１８Ａの後方に位置するように取り付けられている。
【００６２】
これにより、図３に示すように、電源ユニット１１が、矢印Ｂで示す、放熱フィン３０による放熱を妨げることがないので、電源ユニット１１の寿命に影響を与えにくく、且つ、放熱効果の向上を図ることができる。
【００６３】
また、放熱フィン３０は、ＬＥＤ基板２２で発生してＬＥＤ基板取付部６０（３）を通じて伝導させてきた熱を、ＬＥＤ基板取付部６０（３）とは逆の方向（つまり、矢印Ｃの方向）に伝導することにより、放熱しているため、ＬＥＤ基板２２で発生してＬＥＤ基板取付部６０（３）に伝導された熱は、何ら構成要素に妨げられずに、そのまま大気中に放出される。その結果、より放熱効果を向上させることができる。
【００６４】
図５は、放熱フィン３０の複数の金属板３０Ａの配置方向の一例を概念的に表した斜視図である。図６は、図３の照明装置１の断面図である。なお、矢印Ｂで表される放熱方向と、矢印Ｃで表される放熱方向とは、ＬＥＤ基板取付部６０（１）及び６０（２）と、ＬＥＤ基板取付部６０（３）及び６０（４）とは同一であるため、ＬＥＤ基板取付部６０（１）及び６０（２）についての図示及び説明は省略する。
【００６５】
図５に示すように、各金属板３０Ａは上下方向に長くなるように配置されており、最上部には開口１８Ａが形成されている。そのため、ＬＥＤ基板取付部６０（３）及び６０（４）に伝わった熱は、互いに隣接する２つの金属板３０Ａの間を上昇して、最終的に開口１８Ａから放出される（図６の矢印Ｂを参照）。
【００６６】
また、先述のように、各金属板３０Ａは当該金属板３０Ａの後方に熱を放出するので、ＬＥＤ基板取付部６０（３）及び６０（４）に伝わった熱は、壁面８０に向けて放出される（図６の矢印Ｃを参照）。
【００６７】
以上のように、本発明の実施の形態１に係る照明装置１によると、電源ユニット１１は、取付フレーム１２において、放熱フィン３０の真上を除く位置に取り付けられている。そのため、放熱フィン３０からの熱が電源ユニット１１に当たりにくいので、電源ユニット１１の寿命に影響を与えにくく、且つ、放熱効果の向上を図ることができる。
【００６８】
また、放熱フィン３０は、ＬＥＤ基板２２で発生してＬＥＤ基板取付部６０（１）〜６０（４）を通じて伝導させてきた熱を、ＬＥＤ基板取付部６０（１）〜６０（４）とは逆の方向（つまり、大気に向かう方向）に伝導することにより、放熱している。そのため、ＬＥＤ基板２２で発生してＬＥＤ基板取付部６０（１）〜６０（４）に伝導された熱は、何ら構成要素によって遮られずに、そのまま大気中に放出される。その結果、より放熱効果を向上させることができる。
【００６９】
（実施の形態２）
図７は、本発明の実施の形態２に係る照明装置の裏面の一例を示した斜視図である。
【００７０】
この照明装置１Ａは、先述の照明装置１と比べ、取付フレーム１２に電源ユニット１１が取り付けられておらず、右フレーム１４（１）に電源ユニット１１が取り付けられている点で異なる。なお、本実施の形態２では、電源ユニット１１は右フレーム１４（１）に取り付けられているが、本発明ではこの例には限られず、左フレーム１４（２）に取り付けられていてもよい。
【００７１】
この照明装置１Ａでは、電源ユニット１１が上下方向に右フレーム１４（１）に取り付けられている。この場合でも、電源ユニット１１は、照明装置１と同様に、放熱フィン３０の真上を除く位置に取り付けられているため、先述の照明装置１と同様の効果を奏することができる。
【００７２】
なお、今回開示された実施の形態１及び２はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００７３】
本発明は、ＬＥＤ照明装置として、例えば、トンネル内を照明する照明装置等に適用できる。
【符号の説明】
【００７４】
１、１Ａ  照明装置
１０  シャーシ
１１  電源ユニット
１２  取付フレーム
１２Ａ、１７Ａ  ガイド溝
１３（１）  右上フレーム
１３（２）  左上フレーム
１４（１）  右フレーム
１４（２）  左フレーム
１５  下フレーム
１６  壁面取付部
１６Ａ  取付孔
１７  角度調整部
１８  上フレーム
１９  中間フレーム
１８Ａ  開口
２０  カバー
２０Ａ  レンズ部
２１  ＬＥＤ
２２  ＬＥＤ基板
３０  放熱フィン
３０Ａ  金属板
３０Ｂ  取付金属板
４０  放熱板
６０（１）〜６０（４）  ＬＥＤ基板取付部
７０  路面
８０  壁面
【図１】
2015023004.tif 000003
【図２】
2015023004.tif 000004
【図３】
2015023004.tif 000005
【図４】
2015023004.tif 000006
【図５】
2015023004.tif 000007
【図６】
2015023004.tif 000008
【図７】
2015023004.tif 000009